(57)【要約】【課題】簡単な構造で、人間の手を煩わせることなく動物を容易に楽しませることのできる愛玩動物用玩具を提供する。【解決手段】愛玩動物用玩具１は、人間の指の形状を模した本体部２と、壁面に取り付けるための吸盤を備えた取付部３と、この本体部２と取付部３を接続する接続部４とからなる。本体部２は柔軟性のある部材、例えばゴムなどの樹脂を成型したものである。また、取付部３は公知の吸盤部材であり、接続部４は柔軟性を有する樹脂をその原料としている。本体部２と取付部３とは、接続部４を介して連結されている。【選択図】  図１
2005000004.tif 000002
【特許請求の範囲】
【請求項１】
人間の指の形状を模した柔軟部材からなる本体部と、前記本体部を壁面等に取り付ける取付部とを備える愛玩動物用玩具であって、
前記本体部は、前記取付部との間に設けられた接続部を介して前記取付部に対して遊動自在に取り付けられたことを特徴とする愛玩動物用玩具。
【請求項２】
前記取付部と接続部とは、弾性部材によって連結されていることを特徴とする請求項１に記載の愛玩動物用玩具。
【請求項３】
前記本体部は、前記取付部に対して着脱自在に構成されていることを特徴とする請求項１記載または２に記載の愛玩動物用玩具。
【発明の詳細な説明】
【０００１】
【発明の属する技術分野】
本発明は、猫や犬等の愛玩動物を飽きさせずに遊ばせる動物用玩具であって、特に簡単な構造で人間の手を煩わせることなく動物を容易に楽しませることのできる愛玩動物用玩具に関する。
【０００２】
【従来の技術】
従来より、猫は犬等と同様にペット用動物として広く親しまれている。また、猫は自己の周囲を動くものに対して興味を持ち、それを追ったり、捕まえたりして遊ぶという習性を有することについてもよく知られていることである。
【０００３】
ところで、ペットとして飼われている猫には、他のペット用動物と同様、適度な刺激や運動が必要であり、これが不足すると、運動不足やそこから生じるストレス等が原因となって肥満や皮膚病を招くこともある。特に、都市部においては、近年の住宅環境等の要因により室内でペットを飼育することが一般的になりつつあるが、このような状況では、飼い猫の運動不足はより問題となっている。したがって、飼い主は、飼い猫に対して適度に刺激を与えて、猫をあやすことが必要である。
【０００４】
上述したような猫をあやす方法としては、いわゆる猫じゃらしと呼ばれるエノコログサ等の道具を用いて行うのが最も良く知られているが、他にも、猫をあやす道具としては、以下に示すようなものが開示されている。
【０００５】
【特許文献１】
実用新案登録第３０００９８４号公報
【特許文献２】
実開平６−４１４６１号公報
【０００６】
【発明が解決しようとする課題】
しかしながら、こうした行動は現実には飼い主と飼い猫との日々のふれあいの中で行われるものであり、飼い主が自己の手によって猫をあやすのが最も一般的である。また、猫自身も、猫じゃらし等の道具よりも飼い主の指等によってあやされるのを好み、より積極的に動き回ることは、出願人の経験上確かなことである。
【０００７】
とはいうものの、飼い主の指を上下左右など猫の喜ぶ方向に動かして猫に刺激を与えるのは、ときに飼い主の負担となる場合がある。すなわち、その時間がある程度の短時間であればよいが、それだけでは飼い猫が飽きたらず長時間におよぶこととなると、逆に飼い主自身が退屈してしまい、ときには飼い主のストレスへと発展してしまうこともある。
【０００８】
さらに、猫は動くものに対しては手を使って払う習性を持つため、指等を使って猫をあやす場合には、猫の爪によって指を引っ掻かれるなどして傷や怪我を負ってしまう可能性もある。
【０００９】
本発明は上記のような従来技術の問題点を解決するために提案されたものであり、その目的は、簡単な構造で、人間の手を煩わせることなく動物を容易に楽しませることのできる愛玩動物用玩具を提供することである。
【００１０】
【課題を解決するための手段】
上記目的を達成するため、請求項１記載の愛玩動物用玩具は、人間の指の形状を模した柔軟部材からなる本体部と、前記本体部を壁面等に取り付ける取付部とを備える愛玩動物用玩具であって、前記本体部は、前記取付部との間に設けられた接続部を介して前記取付部に対して遊動自在に取り付けられたことを特徴とする。
【００１１】
以上のような請求項１記載の愛玩動物用玩具では、本体部が取付部に対してある程度遊動可能に支持されていると共に、本体部が人間の指を模して構成されているため、取付部の吸盤を介して当該玩具を壁面等に取り付けると、猫はこの玩具に対して非常に興味を惹かれ、これを手で捕まえようとしたり、叩いたりするようになる。したがって、本発明のように非常に簡単な構成からなる愛玩動物用玩具を用いることによって、人間の手を煩わせることなく、猫に適度な刺激を与えることができる共に猫を思う存分遊ばせることが可能となる。
【００１２】
請求項２記載の愛玩動物用玩具は、請求項１に記載の発明において、前記取付部と接続部とは、弾性部材によって連結されていることを特徴とする。以上のような請求項２記載の発明では、取付部と接続部がバネ等の弾性部材によって接続されているため、取付部に対して接続部がより遊動自在となる。このため、猫が本体部を引っ掻いたり叩いたりした場合に、請求項１にまして本体部がさらに大きく動くようになるため、猫はその動きに対してより強い興味を惹かれるようになる。
【００１３】
請求項３記載の愛玩動物用玩具は、請求項１または２に記載の発明において、前記本体部は、前記取付部に対して着脱自在に構成されていることを特徴とする。以上のような請求項３記載の発明では、飼い主は上記の発明のように玩具を壁に取り付けて用いる以外に、本体部のみを自己の指等に装着して用いることもできるようになるため、例えば、飼い主が素手で猫をあやした場合における猫の爪による引っ掻き傷等を防止することができる。また、飼い主がこの動作に飽きたり疲れた場合には、指から本体部を外し、本体部、取付部および接続部を接続することによって、当該玩具を壁に取り付けて用いることも可能となる。
【００１４】
【発明の実施の形態】
次に、本発明の実施の形態（以下「実施形態」と呼ぶ）について図面を参照して具体的に説明する。なお、以下の本実施形態においては、本発明の玩具を用いて遊ぶ対象として猫を例示するが、本玩具の使用対象は猫に限られるものではなく、様々なペット用動物を対象とするものである。
【００１５】
〔１．第１の実施形態〕
〔１−１．構成〕
図１は、本実施の形態の愛玩動物用玩具１の全体構成を示す正面図である。同図に示すように、本実施形態の愛玩動物用玩具１は、人間の指の形状を模した本体部２と、壁面に取り付けるための吸盤を備えた取付部３と、この本体部２と取付部３を接続する接続部４とからなる。
【００１６】
本体部２は、柔軟性のある部材、例えばゴムなどの樹脂を成型したものであり、図２の斜視図に示すように、その内部は指の付け根側より指先に至るまで空洞部２１が形成されている。この空洞部２１の内径は、人間の指が挿入できる程度に構成されており、飼い主の指の太さに応じて様々なサイズを設けるなど適宜設計変更可能である。また、空洞部２１の指の付け根付近には、後述する接続部４の接続レール４２が嵌合する接続溝２２が、内周に沿って設けられている。なお、本体部２の指先部分には、それぞれ図２（ａ）に示すような複数の突起部２３や、同図（ｂ）のように、指紋状に形成された溝部２４が設けられており、ここには猫の好物であるまたたびの実などを付着させることができるようになっている。
【００１７】
取付部３は、図３の斜視図に示すように、公知の吸盤部材であり、壁面へ取り付ける吸盤からなる取付面３１と、接続部４と接する円筒形状の突起部３２とからなる。突起部３２の円周上側面には、後述する接続部４の取付突起４４が嵌合する取付孔３３がこの突起部３２をの直径方向に貫通するように設けられている。なお、本図において突起部３２の形状を円筒形状としているが、これは後述の接続部４における接続面の形状と合致させたものであり、当該接続面と同様の形状であれば断面が四角形等の多角形であっても構わない。
【００１８】
接続部４は、図２の斜視図（ａ）、（ｂ）および正面図（ｃ）に示すように、円筒形状で構成され、その軸方向における一方の端部には、本体部２の付け根部分の内径と略同一の径を有するフランジ４１が設けられ、円筒側面の軸方向中心部には上述した本体部２の接続溝２２と嵌合する接続レール４２が円周に沿って設けられている。また、フランジ４１の円中心には、取付部３の突起部３２よりも若干大きな内径からなる円筒状の取付凹部４３が設けられており、この取付凹部４３の内周面の軸方向中央部分には、上記取付孔３３と勘合する取付突起４４が設けられている。
【００１９】
ここで、この接続部４は、柔軟性を有する樹脂をその原料としているため、本体部２、取付部３及び次に、図２の断面図を用いて、本体部２、取付部３および接続部４はそれぞれ軸方向に対して左右にひねり動かすことによって、着脱することができるように構成されている。また、本体部２と接続部４とは、それぞれ接続溝２２および接続レール４２を介して接続されているため、接続部４に対して本体部２は若干回転するように構成されている。
【００２０】
〔１−２．作用効果〕
次に、上記のような構成からなる本実施の形態における愛玩動物用玩具１の作用効果を説明する。この愛玩動物用玩具１において、飼い主はまず本体部２を自己のいずれかの指に装着し、さらに本体部２に設けられた複数の突起部２３あるいは溝部２４に猫の好物であるまたたびを付着させる。これによって、飼い主は本体部２を猫の周囲で動かして猫をあやすことができ、さらに、猫が本体部２を爪で引っ掻いたり、歯で噛んだりしても、傷や怪我を負うことがない。
【００２１】
次に、飼い主がこの動作に飽きたり、疲れた場合には、指から本体部２を外し、その後、本体部２、取付部３および接続部４の接続作業を行う。具体的には、まず本体部２を接続部４に対して嵌合する。本体部２を接続部４に押し込むと、接続部４の円筒外周上に設けられた接続レール４２が、本体部２の接続溝２２に到達し、本体部２および接続部４は互いに軸Ｘ方向に対して固定される。
【００２２】
そして、取付部３を接続部４に押し付けると、取付部３の突起部３２に設けられた取付孔３３に取付突起４４が到達する。これにより、取付部３と接続部４は軸Ｘ方向に対して固定される。
【００２３】
以上のようにして接続された愛玩動物用玩具１を、飼い主は取付部３の取付面３１の吸盤を介して壁面等に取り付ける。壁面等に取り付けられた愛玩動物用玩具１は、本体部２が取付部３に対してある程度回動可能に支持されることとなるため、猫がこの玩具を手などで捕まえようとしたり、叩いたりすることによって、接続溝２２および接続レール４２に沿って多少の回転を伴うため、好物であるまたたびの効果と共に、猫はこの玩具に対して強く興味を惹かれるようになる。
【００２４】
そして、当該玩具は壁面に固定されているので、人間の手を煩わせることなく、思う存分猫を遊ばせることが可能である。また、上記のような非常に簡単な構成からなる愛玩動物用玩具を提供することができるようになる。
【００２５】
〔２．第２の実施形態〕
本発明第２の実施形態は、上記第１の実施形態における取付部３と接続部４とを弾性部材であるバネ５によって接続したものである。
【００２６】
具体的には、図５の正面図に示すように、取付部３の突起部３２と接続部４の取付凹部４３の間に挿入されることとなる。この場合、突起部３２と取付凹部４３とはこのバネ５によって一定間隔が保たれた状態となる。
【００２７】
以上のような構成によって、取付部３と接続部４がバネ５によって接続されることによって、取付部３に対して接続部４がより遊動自在となるため、猫が本体部２を引っ掻いたり叩いたりした場合に、本体部２は上記第１の実施形態に増して、上下左右あるいは回転方向に対してより大きく動くようになり、猫はその動きに対してより強い興味を抱くようになる。
【００２８】
以上のようにはめ込み方式の簡単な構造によって、飼い猫に対して人間の手を煩わせることなく、刺激を与え、興味を惹くことができる。
【００２９】
〔３．他の実施の形態〕
本発明は、上記のような実施の形態に限定されるものではなく、例えば、次のような実施の形態も含む。すなわち、上記実施の形態においては、取付部として公知の吸盤部材を用い、取付部３と接続部４とを別体として構成しているが、本発明はこのようなものに限られず、部品点数を減らす意味からも取付部と接続部を一体にして構成してもよい。
【００３０】
また、上記実施形態では、本発明の弾性部材としてバネを例示したが、本発明はこれに限られるものではなく、取付部に対する本体部の遊動を維持することができるものであればいずれの部材あるいは材料であるかを問わず、例えばゴム片等の樹脂等によっても構成可能である。
【００３１】
【発明の効果】
以上説明したように、本発明によれば、簡単な構造で、人間の手を煩わせることなく動物を容易に楽しませることのできる愛玩動物用玩具を提供することができる。
【図面の簡単な説明】
【図１】本発明第１の実施形態における愛玩動物用玩具の全体構成を示す正面図。
【図２】本発明第１の実施形態における本体部の構成を示す斜視図（ａ）および（ｂ）。
【図３】本発明第１の実施形態における取付部の構成を示す斜視図。
【図４】本発明第１の実施形態における接続部の構成を示す斜視図および正面図。
【図５】本発明第２の実施形態における愛玩動物用玩具の全体構成を示す正面図。
【符号の説明】
１…愛玩動物用玩具
２…本体部
３…取付部
４…接続部
５…バネ
２１…空洞部
２２…接続溝
２３…突起部
２４…溝部
３１…取付面
３２…突起部
３３…取付孔
４１…フランジ
４２…接続レール
４３…取付凹部
４４…取付突起
【図１】
2005000004.tif 000003
【図２】
2005000004.tif 000004
【図３】
2005000004.tif 000005
【図４】
2005000004.tif 000006
【図５】
2005000004.tif 000007